(57)【特許請求の範囲】
【請求項１】
ゲーム機能等の電話機能以外の付加機能を有する携帯電話装置において、
電話機能を停止させる電話機能停止キーを有する操作手段と、
外部と通信する無線通信手段と、
前記操作手段の電話機能停止キーが操作された際に前記無線通信手段の機能を停止させる制御手段と、
各種データを表示する表示手段とを有し、
前記制御手段は、前記無線通信手段の機能を停止させた後、着信による割り込みを禁止した状態で一定時間経過後に前記無線通信手段を動作状態にし、網に自局宛てのメールが有るか否かについて問い合わせを行い、自局宛てのメールが有る場合には自局宛てのメールが有ることを示すメールアイコンを前記表示手段に表示することを特徴とする携帯電話装置。
【発明の詳細な説明】
【０００１】
【発明の属する技術分野】
本発明は、携帯電話装置に係り、特にゲーム機能、音楽再生機能等の電話機能以外の付加機能を有する携帯電話装置に関する。
【０００２】
【従来の技術】
ゲーム機能、音楽再生機能等の電話機能以外の付加機能を有する従来の携帯電話装置にあっては、電源を切ると、全ての機能が停止するようになっているために、電話機能のみを停止させ、他の付加機能のみを有効にして、使用することはできなかった。
【０００３】
【発明が解決しようとする課題】
したがって、従来の携帯電話装置では、ゲーム機能等のアプリケーションソフトを起動してゲーム、メール作成等を楽しんでいる最中にも、着信が有る場合には、必ず割り込みとして入ってくるので、例えば、ゲームに集中できないという問題が有る。
本発明はこのような事情に鑑みてなされたものであり、ゲーム機能等の付加機能を使用時に着信による割り込みを禁止し、付加機能の使用に集中することができる携帯電話装置を提供することを目的とする。
【０００４】
【課題を解決するための手段】
上記目的を達成するために請求項１に記載の発明は、ゲーム機能等の電話機能以外の付加機能を有する携帯電話装置において、電話機能を停止させる電話機能停止キーを有する操作手段と、外部と通信する無線通信手段と、前記操作手段の電話機能停止キーが操作された際に前記無線通信手段の機能を停止させる制御手段と、各種データを表示する表示手段とを有し、前記制御手段は、前記無線通信手段の機能を停止させた後、着信による割り込みを禁止した状態で一定時間経過後に前記無線通信手段を動作状態にし、網に自局宛てのメールが有るか否かについて問い合わせを行い、自局宛てのメールが有る場合には自局宛てのメールが有ることを示すメールアイコンを前記表示手段に表示することを特徴とする。
【０００５】
請求項１に記載の発明によれば、無線通信手段の機能を停止させた後、着信による割り込みを禁止した状態で一定時間経過後に前記無線通信手段を動作状態にし、網に自局宛てのメールが有るか否かについて問い合わせを行い、自局宛てのメールが有る場合には自局宛てのメールが有ることを示すメールアイコンを前記表示手段に表示するようにしたので、電話機能が停止していても、自局宛てのメールが来ているか否かを表示手段の画面上で確認することができる。
また、電話機能に関連する部分である、外部と通信する無線通信手段の機能を停止するようにしたので、付加機能のみを使用する期間では消費電力の低減が図れる。
【０００９】
【発明の実施の形態】
以下、本発明の実施の形態を、図面を参照して詳細に説明する。図１には本発明の実施の形態に係る携帯電話装置が適用される通信システムの構成が示されている。同図において、この通信システムは、移動局である携帯電話装置１と、基地局１０−１、１０−２、…、１０−ｎと、基地局１０−１、１０−２、…、１０−ｎを統括的に制御する制御局２０とを有しており、制御局２０は交換機３０を介して固定通信網４０に接続されている。
【００１０】
次に、本発明の実施の形態に係る携帯電話装置の構成を図２に示す。同図において、携帯電話装置１は、各種プログラム及び固定データが記憶されているＲＯＭ１００と、ＲＡＭ１０２と、ＲＯＭ１００に記憶されている各種プログラムを実行することにより電話機能及びゲーム機能、音楽再生機能等の各種付加機能を実現するＣＰＵ１０４と、操作部１０６と、表示部１０８と、無線通信部１１０と、音声処理部１１２と、スピーカ１１４と、マイク１１６とを有している。ＲＯＭ１００、ＲＡＭ１０２、ＣＰＵ１０４、操作部１０６、表示部１０８、無線通信部１１０及び音声処理部１１２はバス１２０を介して相互に接続されている。
【００１１】
操作部１０６は、電話機能を停止させる電話機能停止キーを有している。この電話機能停止キーを操作することにより無線通信部１１０の機能が停止するようにＣＰＵ１０４により制御されるようになっている。「無線通信部１１０の機能が停止するようにＣＰＵ１０４により制御される」とは、具体的には無線通信部１１０における処理を停止するように制御されることを意味する。尚、無線通信部１１０への電源供給を停止するように制御してもよい。
無線通信部１１０は、音声処理部１１０から出力された音声信号を変調して図示してないアンテナを介して外部に出力すると共に、アンテナを介して入力された信号を復調して音声処理部１１２に出力する機能を有する。
【００１２】
また、音声処理部１１２は、音声ＣＯＤＥＣ等より構成され、無線通信部１１０から出力された音声信号をＤ／Ａ変換してスピーカ１１４に出力し、マイク１１６から入力された音声信号をＡ／Ｄ変換して無線通信部１１０に出力する機能を有する。表示部１０８は、携帯電話装置１にメールが届いている場合には受信メールが有ることを示すメールアイコンを表示するようになっている。
ＣＰＵ１０４は本発明の制御手段に、操作部１０６は本発明の操作手段に、表示部１０８は本発明の表示手段に、無線通信部１１０は本発明の無線通信手段に、それぞれ相当する。
【００１３】
次に、携帯電話装置１の動作を図３及び図４のフローチャートを参照して説明する。図３は操作部１０６の電話機能停止キーが操作された場合の動作について示している。同図において、まず、操作部１０６の入力信号が取り込まれ（ステップ２００）、次いで、操作部１０６の電話機能停止キーが操作されたか否かが判定される（ステップ２０１）。ステップ２０１で電話機能停止キーが操作されたと判定された場合には、無線通信部１１０の機能を停止、すなわち、無線通信部１１０の動作を停止させ（ステップ２０２）、この処理の実行を停止する。
【００１４】
この状態で、ゲーム機能等の付加機能を使用することができる。この場合に、例えばゲーム機能を使用し、ユーザがゲームを行なっていても着信による割り込みは発生しない。
他方、ステップ２０１で電話機能停止キーが操作されていない、と判定された場合には、無線通信部１１０を動作状態とすることにより待受け状態に移行し（ステップ２０３）、この処理の実行を停止する。
【００１５】
次に、電話機能が停止時に一定周期で起動されるタイマ割り込み処理の内容を図４に示す。同図において、ステップ３００において、操作部１０６の電話機能停止キーが操作されたか否かが判定され、電話機能停止キーが操作されていない場合にはこの処理の実行を終了する。電話機能停止キーが操作された場合には、電話機能停止キーが操作されてから一定時間が経過したか否かが判定される（ステップ３０１）。ステップ３０１で一定時間が経過していないと判定された場合には、この処理の実行を終了する。
【００１６】
他方、ステップ３０１で、電話機能停止キーが操作されてから一定時間が経過したと判定された場合には、無線通信部１１０を動作状態にし、自局が存在するエリアを管轄する基地局、例えば基地局１０−１（図１参照）との間で回線が接続され、最終的に携帯電話装置１と制御局２０が管理する図示してないメールサーバとの間で回線が接続される（ステップ３０２、３０３）。
【００１７】
次いで、携帯電話装置１宛てのメールが有るか否ががメールサーバによりチェックされ、その結果が携帯電話装置１に通知される（ステップ３０４）。携帯電話装置１では、その通知内容を判定し、受信メールが有るか否かを判定する（ステップ３０５）。受信メールがない場合にはこのまま、処理の実行を終了する。ステップ３０５で受信メールが有ると判定された場合には、表示部１０８に受信メールが有ることを示すメールアイコンを表示し、この処理の実行を終了する。
【００１８】
尚、電話機能停止スイッチのＯＮ／ＯＦＦ操作に、さらにユーザのパスワード入力を付加すれば、使用者はスイッチをＯＮにしておけば他人に不正に使用され、通話されることが無くなる。よって他人に不正に使用され、莫大な料金請求を受けることも防ぐことができる。
【００１９】
以上、本実施の形態にか有る携帯電話装置によれば、携帯電話装置でゲームをしていて、着信などで割り込んで欲しくない時に、電話機能停止スイッチをＯＮにしておく。そうすれば割り込まれること無くゲームを継続できる。さらにその間は消費電力を節約できる。
また、航空機内など電磁波の影響で携帯電話の使用できない場所では電源をＯＦＦしなければならないが、例えば、時間を知りたい時、電源ＯＦＦだと時間を見ることができない。
【００２０】
しかし、電話機能停止スイッチをＯＮにしておけば無線部の処理は停止するため、電磁波の影響はない。よって電源をＯＮしておくことも可能で、時間を見ることができる。
さらに、開発での試験時、特に通信することの無い試験（操作部試験など）を行う時に、電話機能停止スイッチをＯＦＦにして試験を実施することにより、無駄な無線通信部の処理の実行をしないので、電池が長持ちし、充電しなければならない時間を削減することができる。
【００２１】
【発明の効果】
以上に説明したように、請求項１に記載の発明によれば、無線通信手段の機能を停止させた後、着信による割り込みを禁止した状態で一定時間経過後に前記無線通信手段を動作状態にし、網に自局宛てのメールが有るか否かについて問い合わせを行い、自局宛てのメールが有る場合には自局宛てのメールが有ることを示すメールアイコンを前記表示手段に表示するようにしたので、電話機能が停止していても、自局宛てのメールが来ているか否かを表示手段の画面上で確認することができる。
また、電話機能に関連する部分である、外部と通信する無線通信手段の機能を停止するようにしたので、付加機能のみを使用する期間では消費電力の低減が図れる。
【図面の簡単な説明】
【図１】本発明が適用される通信システムの構成を示す説明図。
【図２】本発明の実施の形態に係る携帯電話装置の構成を示すブロック図。
【図３】本発明の実施の形態に係る携帯電話装置の動作の一例を示すフローチャート。
【図４】本発明の実施の形態に係る携帯電話装置の動作の他の例を示すフローチャート。
【符号の説明】
１  携帯電話装置
１００  ＲＯＭ
１０２  ＲＡＭ
１０４  ＣＰＵ（制御手段）
１０６  操作部（操作手段）
１０８  表示部
１１０  無線通信部（無線通信手段）
１１２  音声処理部
１１４  スピーカ
１１６  マイク
【図１】
0003626689.tif 000002
【図２】
0003626689.tif 000003
【図３】
0003626689.tif 000004
【図４】
0003626689.tif 000005